(57)【要約】【課題】光ネットワークで光信号再生情報を効率的に用意すること。【解決手段】一実施例によれば、光経路の光信号再生情報を提供する方法は、光経路を介して経路メッセージを送信することを含む。光経路は、通信ネットワークの一連のノードを有し、一連のノードは開始ノード、一群の中間ノード及び終了ノードを含む。経路メッセージは、一連のノード中の１つ以上の再生ノードについて光信号再生を指定する光信号再生情報を伝送する。再生ノードはパスメッセージを受信する。再生ノードは光信号再生情報に従って構築される。構築された再生ノードは光信号再生を実行する。【選択図】図１
2008042914.tif 000002
【特許請求の範囲】
【請求項１】
光経路の光信号再生情報を提供する方法であって、
通信ネットワークの一連のノードを有する光経路を介して経路メッセージを送信するステップであって、前記一連のノードは開始ノード、一群の中間ノード及び終了ノードを含み、前記経路メッセージは、前記一連のノード中の１つ以上の再生ノードについて光信号再生を指定する光信号再生情報を伝送するステップと、
各再生ノードで前記経路メッセージを受信すること及び構築された再生ノードが光信号再生を実行するように前記光信号再生情報に従って各再生ノードを構築することを、１以上の再生ノードの各再生ノードについて実行するステップと、
を有する方法。
【請求項２】
光経路の光信号再生情報を提供するシステムであって、
通信ネットワークの一連のノードを有する光経路を介して経路メッセージを送信するモジュールであって、前記一連のノードは開始ノード、一群の中間ノード及び終了ノードを含み、前記経路メッセージは光信号再生情報を伝送するモジュールと、
前記一連のノード中の１つ以上の再生ノードと、
を有し、前記光信号生成情報は、前記１つ以上の再生ノードについて光信号生成を指定し、１以上の再生ノード中の各再生ノードは、前記経路メッセージを受信すること及び構築された再生ノードが光信号再生を実行するように前記光信号再生情報に従って構築するシステム。
【請求項３】
前記モジュールが、
前記光信号再生情報を前記開始ノードで確立すること、及び
前記光信号再生情報を前記開始ノードで前記経路メッセージに含めること、
を更に実行する請求項２記載のシステム。
【請求項４】
前記光信号再生情報が、１以上の再生ノード識別子を更に有し、再生ノード識別子は１つ以上の再生ノード中の再生ノードを特定する請求項２記載のシステム。
【請求項５】
前記光信号再生情報が、１以上の再生ユニット識別子を更に有し、再生ユニット識別子は、１つ以上の再生ノード中の再生ノードに関し、光信号を再生する再生ユニットを特定する請求項２記載のシステム。
【請求項６】
前記光信号再生情報が、前記光経路の順方向に関する光信号再生情報と、前記光経路の逆方向に関する光信号再生情報とを更に有する請求項２記載のシステム。
【請求項７】
前記経路メッセージがソースルートリストを有し、前記光信号再生情報が該リストに対する属性として用意される請求項２記載のシステム。
【請求項８】
前記経路メッセージが、リソースリザベーションプロトコル(RSVP)パスメッセージを有する請求項２記載のシステム。
【請求項９】
光経路の光信号再生情報を提供する方法であって、
通信ネットワークの一連のノードを有する光経路を介して経路メッセージを送信するステップを有し、前記一連のノードは開始ノード、一群の中間ノード及び終了ノードを含み、前記経路メッセージは光信号再生情報を伝送し、前記光信号再生情報は、前記一連のノード中の１つ以上の再生ノードについて光信号再生を指定し、
１以上の再生ノードの各再生ノードは、各再生ノードで前記経路メッセージを受信すること及び構築された再生ノードが光信号再生を実行するように前記光信号再生情報に従って各再生ノードを構築する方法。
【請求項１０】
光経路の光信号再生情報を提供するシステムであって、
通信ネットワークの一連のノードを有する光経路を介して経路メッセージを送信する手段であって、前記一連のノードは開始ノード、一群の中間ノード及び終了ノードを含み、前記経路メッセージは、前記一連のノード中の１つ以上の再生ノードについて光信号再生を指定する光信号再生情報を伝送する手段と、
各再生ノードで前記経路メッセージを受信すること及び構築された再生ノードが光信号再生を実行するように前記光信号再生情報に従って各再生ノードを構築することを、１以上の再生ノードの各再生ノードについて実行する手段と、
を有する方法。
【発明の詳細な説明】
【技術分野】
【０００１】
本発明は一般に通信ネットワークの技術分野に関連し、特に光信号再生情報を制御プレーンで用意することに関連する。
【背景技術】
【０００２】
光ネットワークは、ネットワークのノード間で情報を通信するのに光信号を利用する。光信号はネットワークを介して伝搬する場合、信号品質は劣化し、情報を伝える信号の能力は劣化するかもしれない。信号品質を改善するため、信号は再生成される。増幅器又は光−電気−光変換器を用いて信号は再生成される。
【０００３】
ネットワークで再生成を実行することは、再生を行う場所のような再生情報(regeneration  information)を用意することを含む。しかしながら再生情報を用意する既知の技術は状況によっては非効率的である。再生情報をもたらす効率的な技法が望まれている。
【発明の開示】
【発明が解決しようとする課題】
【０００４】
光ネットワークで光信号再生情報を効率的に用意すること。
【０００５】
本発明によれば、光信号再生情報を用意する従来の技法に付随する欠点及び問題点が軽減又は解消される。
【課題を解決するための手段】
【０００６】
本発明の一実施例によれば、光経路の光信号再生情報を提供する方法は、光経路を介して経路メッセージを送信するステップを含む。光経路は、通信ネットワークの一連のノードを有し、前記一連のノードは開始ノード、一群の中間ノード及び終了ノードを含む。前記経路メッセージは、前記一連のノード中の１つ以上の再生ノードについて光信号再生を指定する光信号再生情報を伝送する。再生ノードはパスメッセージを受信する。再生ノードは光信号再生情報に従って構築される。構築された再生ノードは光信号再生を実行する。
【発明を実施するための最良の形態】
【０００７】
本発明の実施例は１つ以上の技術的利点をもたらす。一実施例による技術的利点は、光信号生成情報がコントロールプレーンで用意されることである。コントロールプレーン(control  plane)で再生情報を用意することは、再生情報をマネジメントプレーン(management  plane)で用意することよりも効率的になるかもしれない。
【０００８】
別の実施例による技術的利点は、光信号経路での再生ノードの再生情報がその経路の開始ノードで用意されることである。経路メッセージは開始ノードから各再生ノードへその再生情報を伝える。再生情報を開始ノードで用意することは、その情報を各再生ノードで用意することよりも効率的になるかもしれない。
【０００９】
本発明の実施例は上記の技術的利点の全部又は一部を備えてもよいし、全く備えなくてもよい。１つ以上の他の技術的利点は、本願に含まれる明細書、特許請求の範囲及び図面から当業者に速やかに明白になるであろう。
【００１０】
本発明並びにその特徴及び利点の完全な理解を更に図るため、添付図面に関連する以下の説明が参照される。
【実施例１】
【００１１】
本発明の実施例及びその利点は図１及び図２を参照することで最良に理解され、図中同様な又は対応する部分には同様な番号が使用される。
【００１２】
図１は、ネットワークシステム１０の一例を示すブロック図であり、そのネットワークシステム用に光信号再生情報が指定される。本実施例によれば、再生情報は制御プレーン(コントロールプレーン)で用意される。再生情報は、光信号経路の開始ノードで指定される。経路情報は、光信号経路の開始ノードから再生ノードへその再生情報を伝える。
【００１３】
図の例によれば、ネットワークシステム１０は信号を利用して情報を通信する。信号は光パルスとして伝送される光信号に関連する。一例として光信号は約1550ナノメートルの波長(に相当する周波数)及び10,20,30ギガビット毎秒又は40ギガビット毎秒以上のデータレートを有するかもしれない。信号は同期トランスポート信号(STS)で構成されてもよい。
【００１４】
光信号がシステム１０を介して伝搬する場合、その信号品質は劣化するおそれがあり、信号の情報伝達能力を減少させるかもしれない。信号品質を改善するため、信号は再生成される。信号再生は、信号を実質的にその本来の特性に戻す信号処理に関する。光信号生成(optical  signal  regeneration)は光信号の信号再生に関する。
【００１５】
信号は情報をパケットで通信する。パケットは、伝送用に特定の方法で組織されたデータの束で構成され、フレームは、伝送用に特定の方法で組織された１つ以上のパケットのペイロードで構成される。音声、データ、オーディオ、ビデオ、マルチメディア、制御、シグナリング、その他の情報又はそれらの何らかの組み合わせのような適切な如何なる情報でもパケットは伝搬してよい。時分割多重(TDM)パケットのような適切な如何なる多重パケットでパケットが構成されてもよい。
【００１６】
システム１０は装置(デバイス)を含む。一般に、デバイスはそのデバイスの機能を実行する適切な何らかのコンポーネント配置を含んでよい。一例として、論理装置(ロジック)、インターフェース、メモリ、他の構成要素又はそれらの何らかの組み合わせをデバイスは含んでよい。「ロジック(logic)」は、ハードウエア、ソフトウエア又はそれらの何らかの組み合わせに関連してもよい。あるロジックはデバイスの動作を管理し、例えばプロセッサで構成されてもよい。プロセッサは、命令を実行し、機能を実行するためにデータを操作する適切な如何なるデバイスにも関連してよい。
【００１７】
インターフェースは或るデバイスのロジックに関連し、そのデバイスは、デバイス用の入力を受信し、デバイスから出力を送信し、入力、出力又は双方の適切な処理を実行し、或いはそれらの何らかの組み合わせを実行し、デバイスは、１つ以上のポート、変換ソフトウエア又はそれら双方で構成されてもよい。
【００１８】
「メモリ」は情報を格納し、情報の抽出を促すロジックに関連し、ランダムアクセスメモリ(RAM)、リードオンリメモリ(ROM)、磁気ドライブ、ディスクドライブ、コンパクトディスク(CD)ドライブ、ディジタルビデオディスク(DVD)ドライブ、取り外し可能なメディアストレージ、その他適切な何らかのデータストレージ媒体又はそれらの何らかの組み合わせで構成されてもよい。
【００１９】
リングネットワーク２０はファイバによりリングトポロジに結合されたノード２２を含む。リングネットワーク２０は適切な如何なるトポロジを含んでもよく、例えば単方向パススイッチリング(UPSR)トポロジや双方向ラインスイッチリング(BLSR)トポロジを含んでもよい。一実施例では、リングネットワーク２０は光ファイバリングで構成されてよい。
【００２０】
リングネットワーク２０はレジリエントパケットリング(RPR)プロトコルのようなプロトコルを利用してもよい。RPRプロトコルは、リングベースのパケット伝送用のプロトコルに関連し、パケットは各ノードで挿入され、各ノードを介して伝送され、又は各ノードで分岐される。一実施例によれば、イーサーネット、同期光ネットワーク(SONET)又は波長分割多重化(WDM)(例えば、高密度波長分割多重化(DWDM))技法のような適切な如何なる伝送技術でもリングネットワーク２０は利用してよい。
【００２１】
パス又は回路は、それらを介して光信号が伝搬する一連のノード２２に関連する。パスタイプの具体例は、単方向の、双方向の、分岐及び継続の、ブロードキャストの又はマルチキャストのパスタイプを含む。経路情報(パス情報)は1つ以上のパスを記述する情報に関連する。一例として、パス情報はパスに含まれている一連のノード２２を記述してもよい。
【００２２】
一実施例では、パスはエンドポイントノード２２及び０以上の中間ノード群２２を含んでよい。エンドポイントノード２２は開始ノード２２及び終了ノード２２を含む。開始ノード２２はそのノードでメッセージがネットワークシステム１０に入るノード２２に関連し、終了ノード２２はそのノードでメッセージがネットワークシステム１０から出るノード２２に関連する。従ってメッセージは開始ノード２２から０個以上の中間ノード２２を介して終了ノード２２に伝搬する。
【００２３】
エンドポイントノード２２は適切な何らかの方法で識別されてもよい。一実施例によれば、ノード２２がネットワークファシリティ(facility)であった場合、ノード２２が隣接ノード２２を一切有しないWDMインターフェースを構成する場合、又はノード２２が用意されたクロスコネクト２８を有しない場合に、ノード２２はエンドポイント２２として同定されてもよい。
【００２４】
ノード２２はパケットの宛先アドレスに従って経路の次のノード２２へパケットをルーティングする。一般に、宛先アドレスはインターネットプロトコル(IP)アドレスのようなノード識別子を指定し、ノード識別子は宛先ノード２２を一意に識別する。ノード２２は所与の宛先アドレスについて出力ポートを指定するテーブルを備えてもよい。
【００２５】
ノード２２は適切な如何なる構成要素を含んでもよい。図示の例によれば、ノード２２はネットワーク要素２４、クロスコネクト２８、データベース３２及び／又は再生ユニット３８を含んでよい。ネットワーク要素２４は、リングネットワーク２０へ又はそこからパケットをルーティングする適切な如何なるデバイスをも表現する。ネットワーク要素２４の具体例は、高密度波長分割マルチプレクサ(DWDM)、アクセスゲートウエイ、エンドポイント、ソフトスイッチサーバー、トランクゲートウエイ、アクセスサービスプロバイダ、インターネットサービスプロバイダ又は他のデバイスを含み、それらはリングネットワーク２０へ又はそこからパケットをルーティングするよう機能するものである。
【００２６】
クロスコネクト２８は、接続ハードウエアを各端部で結合するカップリングデバイスを表す。クロスコネクト２８はネットワーク要素２４と共に組み込まれてもよいし、それとは別個であってもよい。一実施例によれば、クロスコネクト２８はマネジメントプレーンで生成される情報を含み、その情報はパスを記述する経路情報を生成するのに使用される。本実施例ではクロスコネクト２８は特定の入力ポートを特定の出力ポートに対応付け、入力ポートで受信されたパケットが出力ポートにルーティングされるようにする。光経路のクロスコネクト２８によるマッピングは、パスを記述する経路情報を生成するのに使用されてもよく、その情報はパスエンドトゥエンドを管理するコントロールプレーン情報を提供する。
【００２７】
データベース３２は例えばリンク状態データベース(LSDB:  Link  State  Data  Base)のようにリンク状態情報を格納するデバイスを表現してもよい。リンク状態情報はネットワークシステム１０のリンク及びパスを記述する。
【００２８】
ノードＢのような再生ノード２２は、信号再生を実行する。図示の例では、再生ノード２２は、適切な何らかの方法で信号を生成する再生ユニット３８を含む。一例として、増幅再生ユニットは、信号を増幅し直し、信号を再生する。別の例として、光−電気−光(O-E-O)再生ユニットが、光信号を電気信号に変換し、信号を再生するように電気信号を処理し、そしてその電気信号を光信号に戻すよう変換してもよい。
【００２９】
一実施例によれば、パスに関する光信号再生情報を伝えるパスメッセージ４２をノード２２は受信する。ノード２２は再生ノード２２であることをパスメッセージ４２が示す場合、ノード２２はそのパスについて信号再生を実行するようにそれ自身を構築する。
【００３０】
トラフィック４０はパスを特定の方向に伝搬する。図示の例では、トラフィック４０はノードＣからノードＢを介してノードＡに流れる。トラフィック進入ノード２２は、そこでトラフィックがネットワークシステム１０に入るノード２２に関連し、トラフィック進出ノード２２はそこでトラフィックがネットワークシステム１０から出るノード２２に関連する。パケットはトラフィックの方向とは逆向きに伝搬してもよい。リバーストラフィック進入ノード２２は、リバースパケットがネットワークシステム１０に入るノード２２に関連し、リバーストラフィック進出ノード２２は、リバースパケットがネットワークシステム１０から出るノード２２に関連する。
【００３１】
ファイバ３６は信号を送信する適切な如何なるファイバに関連してもよい。一実施例によればファイバ３６は光ファイバを表現してよい。光ファイバは典型的にはシリカガラス又はプラスチックで形成されたケーブルで構成される。ケーブルは内側コア周囲に外側クラッディング材料を有する。内側コアは外側クラッディング材料より僅かに高い屈折率を有する。ファイバの屈折率特性は、ファイバ内側に光信号を拘束するよう働く。
【００３２】
リングネットワーク２０は例えば２つのファイバ３６のような適切な如何なる数のファイバを備えていてもよい。一例として、第１ファイバ３６は或る方向にリングネットワークを伝送し、第２ファイバは別の方向にリングネットワークを伝送する。リングセグメントは、ネットワーク要素２４間のファイバの部分に関連し、そのリングセグメントで結合されるネットワーク要素の特定の部分で指定されてもよい。
【００３３】
一実施例によれば、再生情報モジュール１４は光信号認識情報を生成してもよい。モジュール１４は例えばノード２２の一部分に関連してもよい。光信号再生情報又は再生情報は、光信号再生に備えて光ネットワークを構築するのに使用される情報に関連する。例えば再生情報は、再生ノード２２を構築し、光信号再生を実行するために使用されてもよい。
【００３４】
再生情報は適切な如何なる情報を含んでもよい。一実施例によれば、再生情報は再生ノード識別子を含んでもよい。再生ノード識別子は、特定のノード２２を再生ノード２２として区別する。再生情報を受信するノード２２は、信号再生を実行するよう予定されているか否かを、再生ノード識別子から判定してもよい。再生ノード２２に対応するホップ及び／又はIPアドレスを用意することによって、再生ノード識別子は再生ノード２２を識別してもよい。一実施例によれば、再生ノード２２は一覧表(テーブルルックアップ)を用いて再生ユニットを識別してもよい。
【００３５】
別の実施例によれば、再生情報は、再生ノード識別子に加えて再生ユニット識別子も含んでよい。再生ユニット識別子は、再生ノード２２が信号再生を実行するのに使用してよい再生ユニット３８を識別する。再生ユニット識別子は、再生ユニットの身元及び／又は場所(ロケーション)情報を与える識別子のような、再生ユニット３８に関する１つ以上のマネジメントプレーン識別子で構成されてもよい。一例として、再生ユニット識別子は、再生に使用する再生ノードのラインカードを識別してもよい。
【００３６】
一実施例によれば、再生情報は、順方向のパスを構成するための情報及び逆方向のパスを構成するための情報を含んでもよい。即ち、再生ノード及び／又は再生ユニットは順方向に関して識別されてもよいし、再生ノード及び／又は再生ユニットは逆方向に関して識別されてもよい。
【００３７】
動作の一例によれば、パスメッセージ４２はパスを介して再生情報を通信する。パスメッセージ４２はコントロールプレーンを介して帯域外信号を使用して送信されてもよい。その例では、再生情報はパスの設定中にパスの開始ノード２２にあってもよい。再生情報はパスメッセージ４２に含まれてもよい。
【００３８】
パスメッセージ４２は開始ノード２２から０個以上の中間ノード２２を介して終了ノード２２に送信される。パスメッセージ４２はノード２２を介して適切などの方向に伝搬してもよく、例えばトラフィック４０の流れる方向でもよいし、或いはトラフィック４０の流れと逆方向でもよい。一実施例によれば、パスメッセージ４２はトラフィックの流れとは逆向きに伝搬する。即ち、パスメッセージ４２はリバース進入ノード２２から１つ以上の中間ノード２２を介してリバース進出ノード２２に送信されてもよい。
【００３９】
ノード２２はパスメッセージ４２を受信する。再生ノード２２として識別されるノード２２は、信号再生を実行するようにそれ自身で構築してもよい。一実施例によれば、ノード２２は順方向に及び逆方向に関する信号再生を構築してもよい。別の実施例によれば、ノード２２はパスメッセージ４２を用いて順方向に関する信号再生を構築し、リターンメッセージ４４で送信される再生情報に従って逆向きに関する信号再生を構築してもよい。
【００４０】
再生情報は適切な何らかの方法でパスメッセージ中に設けられてもよい。一実施例によれば、あるパスに関する再生情報は、パスの明示的なソースルートを用いて指定されてもよい。ソースルートは、パスのリンク及び／又はノード２２のソースルートリストによって指定されてもよい。再生情報はそのリストに関して或る属性として付加され、再生ノード識別子及び／又は再生ユニット識別子を提供する。
【００４１】
パスメッセージ及びリターンメッセージは、再生情報を通知することに加えて他の機能を発揮してもよい。一例では、パスメッセージがノード２２を介して開始ノード２２から終了ノード２２へ伝搬する場合に、パスメッセージ４２は経路情報を収集する。終了ノード２２は、集められた経路情報を収集し、その経路情報をリターンメッセージ４４で開始ノード２２に送信する。経路情報は開始ノード２２のデータベースに格納される。
【００４２】
別の実施例では、パス及びリターンメッセージは、例えば帯域のようなリソースを確保するために使用されてもよい。例えば、パスメッセージはPSVPメッセージで構成され、リターンメッセージはPSVPリザベーションリクエストメッセージで構成されてもよい。この例では、パスメッセージは要求されるリソースを記述し、例えば送信するデータのパラメータ及び帯域条件を記述してもよい。パスメッセージは開始ノード２２から中間ノード２２を介して終了ノード２２に伝送される。データに関心のある各終了ノード２２は、ネットワークを介してリザベーションリクエストメッセージを送信することでそのフローを確認する。リザベーションリクエストメッセージは、開始ノードから受信されるべきデータの帯域特性を記述する。
【００４３】
リザベーションリクエストメッセージが開始ノード２２に向かって戻される場合、中間ノード２２は、各自の容量に基づいて提案されているリザベーション(予約)を受け入れるか否か及びリソースを確保するか否かを決定する。中間ノード２２が提案のリザベーションを受け入れる場合、リソースは確保され、リザベーションリクエストメッセージはそのパスの中の次のノードに伝送される。
【００４４】
本発明の範囲から逸脱せずにネットワークシステム１０について修正、付加又は省略がなされてもよい。ネットワークシステム１０の構成要素は、特定のニーズに応じて統合されてもよいし又は分散されてもよい。更に、ネットワークシステム１０の動作は、より多数の、より少数の又は他のデバイスによって実行されてもよい。更に、ネットワークシステム１０の機能は適切な如何なるロジックを用いて実行されてもよい。本願で使用されているように、「各」は或る集合のメンバ各々又は或る集合の部分集合のメンバ各々に関連する。
【００４５】
図２は、図１のネットワークシステム１０と共に使用される光信号再生情報を用意する方法例を示すフローチャートである。本方法はステップ１１０から始まり、経路設定プロセスが開始される。経路設定プロセスは、ネットワークシステム１０を介する光経路を確立するために開始される。
【００４６】
ステップ１１４にてパスを記述するソースルート情報が生成される。ソースルート情報は、パスのノード２２及び／又はリンクのリストを含んでもよい。ステップ１１８では光信号再生情報がソースルート情報に含められる。再生情報は、その経路(パス)に関する光信号再生を明確化する。一例として、再生情報は再生ノード２２及びその再生ノード２２で使用されてよい再生ユニット３８を特定する。
【００４７】
ステップ１２２にてソースルート情報はパスメッセージ４２に挿入される。情報は開始ノード２２でパスメッセージ４２に挿入されてもよい。ステップ１２６では、パスメッセージ４２が次のノードに送信される。
【００４８】
ステップ１３４では次のノード２２が再生ノード２２になるかもしれない。ノード２２は、パスメッセージ４２の再生情報に従って、再生ノード２２としてそれ自身確認してもよい。一例として、再生情報は、ノード２２を再生ノード２２として識別する再生ノード識別子を含んでもよい。ステップ１３４でノード２２が再生ノードであった場合、本方法はステップ１３８に進む。
【００４９】
ステップ１３８では再生ノード２２は再生ユニット３８を確認する。再生情報で与えられた再生ユニット識別子により、再生ノード２２は再生ユニット３８を特定してもよい。そして本方法はステップ１４２に進む。ステップ１３４でノード２２が再生ノードでなかったならば、本方法はステップ１４２に直接進む。
【００５０】
ステップ１４２にて、ノード２２は終了ノードかもしれない。ステップ１４２でノード２２が終了ノードでなかったならば、本方法はステップ１２６に戻り、パスメッセージ４２が次ノード２２に送信される。ステップ１４２でノード２２が終了ノード２２であった場合、本方法はステップ１４６に進む。終了ノード２２はステップ１４６でパスメッセージ４２を受信する。ステップ１４６でパスメッセージ４２を受信すると、本方法は終了する。
【００５１】
本発明の範囲から逸脱せずに本方法について修正、付加又は省略がなされてもよい。本方法は、より多くの、より少数の又は他のステップを含んでもよい。更に本発明の範囲から逸脱せずにステップは適切な如何なる順序で実行されてもよい。
【００５２】
本発明の実施例は１つ以上の技術的利点をもたらす。一実施例による技術的利点は、光信号生成情報がコントロールプレーンで用意されることである。コントロールプレーンで再生情報を用意することは、再生情報をマネジメントプレーンで用意することよりも効率的になる。
【００５３】
別の実施例による技術的利点は、光信号経路での再生ノードの再生情報がその経路の開始ノードで用意されることである。経路メッセージは開始ノードから各再生ノードへその再生情報を伝える。再生情報を開始ノードで用意することは、その情報を各再生ノードで用意することよりも効率的になる。
【００５４】
以上本開示内容はある実施例及び一般的に関連する方法の観点から説明されてきたが、実施例及び方法の代替例及び置換例は当業者に明白であろう。従って上記実施例の記載は本開示内容を限定するものではない。他の変形例、置換例及び代替例が、添付の特許請求の範囲に記載されるような本開示範囲及び精神から逸脱せずに実行可能である。
【００５５】
以下、本発明により教示される手段が例示的に列挙される。
【００５６】
（付記１）
光経路の光信号再生情報を提供する方法であって、
通信ネットワークの一連のノードを有する光経路を介して経路メッセージを送信するステップであって、前記一連のノードは開始ノード、一群の中間ノード及び終了ノードを含み、前記経路メッセージは、前記一連のノード中の１つ以上の再生ノードについて光信号再生を指定する光信号再生情報を伝送するステップと、
各再生ノードで前記経路メッセージを受信すること及び構築された再生ノードが光信号再生を実行するように前記光信号再生情報に従って各再生ノードを構築することを、１以上の再生ノードの各再生ノードについて実行するステップと、
を有する方法。
【００５７】
（付記２）
前記光信号再生情報を前記開始ノードで確立するステップと、
前記光信号再生情報を前記開始ノードで前記経路メッセージに含めるステップと、
を更に有する付記１記載の方法。
【００５８】
（付記３）
前記光信号再生情報が、１以上の再生ノード識別子を更に有し、再生ノード識別子は１つ以上の再生ノード中の再生ノードを特定する付記１記載の方法。
【００５９】
（付記４）
前記光信号再生情報が、１以上の再生ユニット識別子を更に有し、再生ユニット識別子は、１つ以上の再生ノード中の再生ノードに関し、光信号を再生する再生ユニットを特定する付記１記載の方法。
【００６０】
（付記５）
前記光信号再生情報が、前記光経路の順方向に関する光信号再生情報と、前記光経路の逆方向に関する光信号再生情報とを更に有する付記１記載の方法。
【００６１】
（付記６）
前記経路メッセージがソースルートリストを有し、前記光信号再生情報が該リストに対する属性として用意される付記１記載の方法。
【００６２】
（付記７）
前記経路メッセージが、リソースリザベーションプロトコル(RSVP)パスメッセージを有する付記１記載の方法。
【００６３】
（付記８）
光経路の光信号再生情報を提供するシステムであって、
通信ネットワークの一連のノードを有する光経路を介して経路メッセージを送信するモジュールであって、前記一連のノードは開始ノード、一群の中間ノード及び終了ノードを含み、前記経路メッセージは光信号再生情報を伝送するモジュールと、
前記一連のノード中の１つ以上の再生ノードと、
を有し、前記光信号生成情報は、前記１つ以上の再生ノードについて光信号生成を指定し、１以上の再生ノード中の各再生ノードは、前記経路メッセージを受信すること及び構築された再生ノードが光信号再生を実行するように前記光信号再生情報に従って構築するシステム。
【００６４】
（付記９）
前記モジュールが、
前記光信号再生情報を前記開始ノードで確立すること、及び
前記光信号再生情報を前記開始ノードで前記経路メッセージに含めること、
を更に実行する付記８記載のシステム。
【００６５】
（付記１０）
前記光信号再生情報が、１以上の再生ノード識別子を更に有し、再生ノード識別子は１つ以上の再生ノード中の再生ノードを特定する付記８記載のシステム。
【００６６】
（付記１１）
前記光信号再生情報が、１以上の再生ユニット識別子を更に有し、再生ユニット識別子は、１つ以上の再生ノード中の再生ノードに関し、光信号を再生する再生ユニットを特定する付記８記載のシステム。
【００６７】
（付記１２）
前記光信号再生情報が、前記光経路の順方向に関する光信号再生情報と、前記光経路の逆方向に関する光信号再生情報とを更に有する付記８記載のシステム。
【００６８】
（付記１３）
前記経路メッセージがソースルートリストを有し、前記光信号再生情報が該リストに対する属性として用意される付記８記載のシステム。
【００６９】
（付記１４）
前記経路メッセージが、リソースリザベーションプロトコル(RSVP)パスメッセージを有する付記８記載のシステム。
【００７０】
（付記１５）
光経路の光信号再生情報を提供する方法であって、
通信ネットワークの一連のノードを有する光経路を介して経路メッセージを送信するステップを有し、前記一連のノードは開始ノード、一群の中間ノード及び終了ノードを含み、前記経路メッセージは光信号再生情報を伝送し、前記光信号再生情報は、前記一連のノード中の１つ以上の再生ノードについて光信号再生を指定し、
１以上の再生ノードの各再生ノードは、各再生ノードで前記経路メッセージを受信すること及び構築された再生ノードが光信号再生を実行するように前記光信号再生情報に従って各再生ノードを構築する方法。
【００７１】
（付記１６）
前記光信号再生情報を前記開始ノードで確立するステップと、
前記光信号再生情報を前記開始ノードで前記経路メッセージに含めるステップと、
を更に有する付記１５記載の方法。
【００７２】
（付記１７）
前記光信号再生情報が、１以上の再生ノード識別子を更に有し、再生ノード識別子は１つ以上の再生ノード中の再生ノードを特定する付記１５記載の方法。
【００７３】
（付記１８）
前記光信号再生情報が、１以上の再生ユニット識別子を更に有し、再生ユニット識別子は、１つ以上の再生ノード中の再生ノードに関し、光信号を再生する再生ユニットを特定する付記１５記載の方法。
【００７４】
（付記１９）
前記光信号再生情報が、前記光経路の順方向に関する光信号再生情報と、前記光経路の逆方向に関する光信号再生情報とを更に有する付記１５記載の方法。
【００７５】
（付記２０）
前記経路メッセージがソースルートリストを有し、前記光信号再生情報が該リストに対する属性として用意される付記１５記載の方法。
【００７６】
（付記２１）
前記経路メッセージが、リソースリザベーションプロトコル(RSVP)パスメッセージを有する付記１５記載の方法。
【００７７】
（付記２２）
光経路の光信号再生情報を提供するシステムであって、
通信ネットワークの一連のノードを有する光経路を介して経路メッセージを送信する手段であって、前記一連のノードは開始ノード、一群の中間ノード及び終了ノードを含み、前記経路メッセージは、前記一連のノード中の１つ以上の再生ノードについて光信号再生を指定する光信号再生情報を伝送する手段と、
各再生ノードで前記経路メッセージを受信すること及び構築された再生ノードが光信号再生を実行するように前記光信号再生情報に従って各再生ノードを構築することを、１以上の再生ノードの各再生ノードについて実行する手段と、
を有する方法。
【００７８】
（付記２３）
光経路の光信号再生情報を提供するシステムであって、
通信ネットワークの一連のノードを有する光経路について光信号再生情報を確立するモジュールと、
前記一連のノード中の１つ以上の再生ノードと、
を有し、前記モジュールは、
前記一連のノードは開始ノード、一群の中間ノード及び終了ノードを含み、前記光信号再生情報は前記開始ノードで確立され、
前記開始ノードで前記光信号再生情報を前記経路メッセージに含め、
前記光経路を介して、前記光信号再生情報を伝送する前記経路メッセージを送信し、
前記経路メッセージがソースルートリストを有し、前記光信号再生情報が該リストに対する属性として用意され、前記経路メッセージが、リソースリザベーションプロトコル(RSVP)パスメッセージを有し、
前記光信号生成情報は、前記１つ以上の再生ノードについて光信号生成を指定し、
前記光信号再生情報が、１以上の再生ノード識別子を更に有し、再生ノード識別子は１つ以上の再生ノード中の再生ノードを特定し、
前記光信号生成情報が、１以上の再生ユニット識別子を更に有し、再生ユニット識別子は、１つ以上の再生ノード中の再生ノードに関し、光信号を再生する再生ユニットを特定し、
前記光信号再生情報が、前記光経路の順方向に関する光信号再生情報と、前記光経路の逆方向に関する光信号再生情報とを更に有し、
前記経路メッセージを受信し、及び
構築された再生ノードが光信号再生を実行するように前記光信号再生情報に従って構築するシステム。
【図面の簡単な説明】
【００７９】
【図１】ネットワークシステムの一例を示すブロック図であり、そのネットワークシステム用に光信号再生情報が指定される。
【図２】図１のネットワークシステムと共に使用される光信号再生情報を用意する方法例を示すフローチャートである。
【符号の説明】
【００８０】
１０  光ネットワーク
１４  再生情報モジュール
２０  リングネットワーク
２２  ノード
２４  ネットワーク要素
２８  クロスコネクト
３２  データベース
３６  ファイバ
３８  再生ユニット
４０  トラフィック
４２  パスメッセージ
４４  リターンメッセージ
【図１】
2008042914.tif 000003
【図２】
2008042914.tif 000004